(57)【要約】本発明は、中空シャフト受入部内に傾斜して延びる締付斜面７を有する中空シャフト２のための、工作機械における締付装置であって、複数の締付ツメ６を備えるものに関する。締付ツメ６は、工作機械の作動スピンドル５中に配置されており、作動スピンドル５中に案内された軸方向可動の締付ヘッド３によって作動させることができ、締付斜面７に対して、対応して傾斜した傾斜面１３でもって、締付のために当接する。締付装置１は、作動スピンドル５に割り当てられた保持クランプ８を有している。保持クランプ８には、締付ツメ６に平行に延び半径方向にバネ作用を行う保持舌部９が形成されている。保持舌部９は、締付斜面７に対応して傾斜した保持面１０を備える。保持面１０は、工作機械に継ぎ付けられた中空シャフト２に当接する。各保持舌部９は、作動スピンドル５から見て保持面よりも手前にて、半径方向外側に配置された表面上に、中空シャフト２の自由端に当接することとなるセンタリング面１１を備える。
2005537942.tif 000002
【特許請求の範囲】
【請求項１】
中空シャフトテーパー体、工具、ワーク等の、工作機械における中空シャフト(２)の締付装置であって、該中空シャフトには中空シャフト受入部内に傾斜して延びる締付斜面(７)が備えられたものであり、
複数の締付ツメ(６)を備え、これら締付ツメ(６)は、工作機械の作動スピンドル(５)中に配置されており、作動スピンドル(５)中に案内された一つの軸方向可動の締付ヘッド(３)によって作動可能であって、締付斜面(７)に対して、対応して傾斜した傾斜面(１３)でもって、締付のために当接するものであり、
さらに、作動スピンドル(５)に割り当てられた一つの保持クランプ（８)を備え、この保持クランプ(８)には、締付ツメ(６)に平行に延び半径方向にバネ作用を行う複数の保持舌部(９)が形成されており、保持舌部(９)は、締付斜面(７)に対応して傾斜した保持面(１０)を備え、この保持面(１０)が、工作機械に取り付けられた中空シャフト(２)の締付斜面(７)に当接し、
各保持舌部(９)は、作動スピンドル(５)から見て保持面よりも手前で、半径方向外側に配置された面上に、中空シャフト(２)の自由端に当接することとなるセンタリング面(１１)を備えることを特徴とする締付装置。
【請求項２】
センタリング面(１１)が、その摩擦作用により、センタリング及び固定のための面をなしていることを特徴とする請求項１に記載の締付装置。
【請求項３】
保持舌部(９)には半径方向外側へのバネ力が付与されていることを特徴とする請求項１または２に記載の締付装置。
【請求項４】
センタリング面(１１)と保持面(１０)との間に切り込み(１２)が設けられていることを特徴とする請求項１〜３のいずれかに記載の締付装置。
【発明の詳細な説明】
【技術分野】
【０００１】
本発明は、中空シャフトテーパー体、工具、ワークといった、中空シャフト受入部内に傾斜して延びる締付斜面を備えた中空シャフトのための、工作機械の締付装置であって、複数の締付ツメと、一つの保持クランプとを備えたものに関する。
【背景技術】
【０００２】
締付ツメは、工作機械の作動スピンドル中に配置されており、作動スピンドル中に案内され軸方向に移動可能な締付ヘッドによって作動させることができ、締付斜面に対して、対応して傾斜した傾斜面でもって、締付のために当接する。また、作動スピンドルに割り当てられた保持クランプには、締付ツメに平行に延び半径方向にバネ作用を行う保持舌部が形成されている。保持舌部は、締付斜面に対応して傾斜した保持面を備え、この保持面が、工作機械に取り付けられた中空シャフトに当接している。
【０００３】
このような締付装置は、例えば、DE299 22 642U1により知られている。この締付装置によって得られる利点は、締付力がフルに加えられる前にも、保持クランプにより、中空シャフトがローディング装置によって迅速に所定の位置・姿勢に固定されることである。そのため、ローディング装置を早期に解除することができるので、つかみないし締付の工程が短縮される。時間の面での利点は、締付を解除する際にも得られる。この締付装置の良好な特性にもかかわらず、使用の際、中空シャフトの解除の後、中空シャフトがローディング装置によって、より良好に、かつ、より迅速につかまれるのが望ましいことが知られた。
【特許文献１】特開２００１−２２５２３０
【特許文献２】米国特許明細書ＵＳ２４２７３２２
【特許文献３】米国特許明細書ＵＳ３６７１０５０
【発明の開示】
【発明が解決しようとする課題】
【０００４】
したがって、本発明の根底をなす課題は、冒頭に述べた締付装置について、締付装置中での中空シャフトの位置・姿勢が、十分な締付力を加える前にも、また、締付力の解除の後にも、より良好に決められるようにすることである。
【課題を解決するための手段】
【０００５】
上記課題は、冒頭に述べた締付装置において、各保持舌部が、作動スピンドルから見たとき、軸方向での保持面より手前に、半径方向外側の表面に、中空シャフトの自由端に当接することとなるセンタリング面を備えることによって解決される。
【発明の効果】
【０００６】
このような形態は、以下の利点につながる。作動スピンドルへの中空シャフトの挿入の際、中空シャフトは、センタリング面によってさらなる中心軸の位置合わせが行われる。これにより、締付ツメによる締付動作のために、より広い範囲のつかみ領域が作り出されることとなり、そのため、より信頼性の高い作動プロセスを達成できる。中空シャフトは、突き出された状態にて、センタリング面により中心合わせされて配されるので、ローディング装置は、中空シャフトをより良好に捕捉凹部中に固定して締め付けることができる。
【発明を実施するための最良の形態】
【０００７】
本発明の枠内において、センタリング面がその表面の摩擦作用により、センタリング及び固定作用を行うセンタリング・クランプ面をなしているならば、好ましい。このようであると、締付を解除する際、センタリング・クランプ面により摩擦作用が生じる。そのため、押出ないし突き出しのストローク時に、より大きな初期衝撃を中空シャフトに加えることができる。このとき、保持クランプは、もっぱらその保持面でもって中空シャフトに当接して保持する必要がない。
【０００８】
締付力の印加の前、及び、締付力の解除の後、中空シャフトを、より高い確実性でもって保持することができるようにするためには、保持クランプに、半径方向外側へのバネ力を与えられているならば好ましい。
【０００９】
本発明の枠内において、センタリング面と保持面との間に切り込み部を設けることが、さらに想定されている。切り込み部は、ローディング装置によって作動スピンドルに挿入する際の中空シャフトの向きのずれを小さくするならば、センタリングをより容易にする。
【００１０】
以下、図面に描かれた実施例により、本発明について詳細に説明する。
【００１１】
図１には、本発明を説明するために、工作機械に割り当てられた締付装置１の要部としての端部を示す。この締付装置１の基本的な構成は、DE4138974A1に開示されているので、ここでは詳細に述べない。締付装置１における中空シャフト２の側の軸方向端部には、締付ヘッド３が配されている。締付ヘッド３は、作動スピンドル５の軸方向にシフト可能な応力伝達棒４に接続しており、これにより、図1の下方に描いた状態から図1の上方に描いた状態へと位置・姿勢のシフトが可能である。締付の位置・姿勢においては、締付装置１の締付ツメ６が、傾斜面１３でもって、中空シャフト２に形成された締付斜面７に噛み合わされて中空シャフトを締め付ける。締付装置は、さらに、保持クランプ８を備えている。保持クランプ８は、作動スピンドル５に割り当てられており、締付ツメ６に並行に延びて半径方向にばね作用を行う複数の保持舌部９を備えている。これら保持舌部９は、締付斜面７に対応して傾斜した保持面１０を備えている。保持面１０は、工作機械に取り付けられている中空シャフト２の締付斜面７に当接し、当該中空シャフト２を保持する。締付力がフルに作用する前に既に当該中空シャフトを保持するのであり、また、締付力が解除されたときにも保持する。このようにして、一つのローディング装置による中空シャフト２の交換が可能となっている。各保持舌部９は、作動スピンドル５から見て、軸方向に、保持舌部９の保持面１０より手前に、中空シャフト２の自由端の半径方向外側面に当接することとなるセンタリング面１１を備える。センタリング面１１は、その摩擦作用により、センタリング及び固定のための面として作用する。センタリング面１１と保持面１０との間には、切り込み部１２が設けられている。保持舌部９は、半径方向外側へとプレストレスを受けている。
【００１２】
そのため、結果的に、ローディング装置によって、中空シャフト２は、締付装置１に継ぎ付けられ、この継ぎ付けにより、挿入の直後に保持挟み部８によりセンタリングされて保持される。この際、保持作用は、保持面１０での係合と、センタリング及び固定の面１１での摩擦とにより、つくり出される。中空シャフト２の締付のためには、締付ヘッド３が、図１の下方に描かれた位置・姿勢から図１の上方に描かれた位置・姿勢へと導かれる。図１の上方に描かれた位置・姿勢では、締付ツメ６が締付斜面７に当接し、中空シャフト２を大きな締付力でもって保持する。締付を解除した後にも、したがって締付ヘッド３が締付の位置・姿勢から解除の位置・姿勢へと導かれる際にも、中空シャフト２のセンタリングはそのまま得られる。このとき、中空シャフト２に、強力な押し出し打撃を加えることができる。押し出し打撃は、中空シャフト２を締付装置１から完全には分離しない。保持クランプ８と、その保持面１０並びにセンタリング・クランプ面１１は、中空シャフト２が不所望に大きい押し出し行路を経るのをくい止めるからである。
【図面の簡単な説明】
【００１３】
【図１】中空シャフトテーパー部をつかむ、締付装置１の端部についての長手方向断面図である。上側には、締付の位置・姿勢にある状態を、下側には、解除された位置・姿勢にある状態を示す。
【図２】図１のII-IIに沿った断面図であり、工具なしで示す。
【図３】他の部材から分離された状態での保持クランプの長手方向断面図である。
【図４】図３の保持クランプについての斜視図である。
【図１】
2005537942.tif 000003
【図２】
2005537942.tif 000004
【図３】
2005537942.tif 000005
【図４】
2005537942.tif 000006
【国際調査報告】
2005537942.tif 000007
2005537942.tif 000008
2005537942.tif 000009
2005537942.tif 000010